(57)【特許請求の範囲】
【請求項１】
少なくとも一方が複数の取付部を有する合成樹脂製であって両者の間に羽根室を構成した二つの地板を有しているフォーカルプレンシャッタと、前記フォーカルプレンシャッタを前記複数の取付部で取り付けておいてからカメラ本体に固定される合成樹脂製のミラーボックスとを備えており、前記取付部の少なくとも一つには孔が形成され、前記ミラーボックスには前記孔に嵌合させるボスが形成されていて、前記ボスは前記一方の地板の板厚よりも僅かに長く形成されており、前記一方の地板は、前記ボスの中心に先端側から螺合したねじによって前記ミラーボックスに取り付けられていることを特徴とする一眼レフカメラ。
【請求項２】
少なくとも一方が複数の取付部を有する合成樹脂製であって両者の間に羽根室を構成した二つの地板を有しているフォーカルプレンシャッタと、前記フォーカルプレンシャッタを前記複数の取付部で取り付けておいてからカメラ本体に固定される合成樹脂製のミラーボックスとを備えており、前記取付部の少なくとも一つにはボスが形成され、前記ミラーボックスの板状部には前記ボスに嵌合させる孔が形成されていて、前記ボスは前記板状部の板厚よりも僅かに長く形成されており、前記一方の地板は、前記ボスの中心に先端側から螺合したねじによって前記ミラーボックスに取り付けられていることを特徴とする一眼レフカメラ。
【請求項３】
前記フォーカルプレンシャッタは、露光作動の駆動源がばねであって、該ばねをチャージするセット手段を作動させるシャッタセット機構の少なくとも一部の部材が前記ミラーボックスに取り付けられていることを特徴とする請求項１又は２に記載の一眼レフカメラ。
【請求項４】
前記フォーカルプレンシャッタは、露光作動の駆動源がモータであって、該ミラーボックスにはミラー駆動機構が設けられていることを特徴とする請求項１又は２に記載の一眼レフカメラ。
【発明の詳細な説明】
【０００１】
【発明の属する技術分野】
本発明は、ミラーボックスにフォーカルプレンシャッタを取り付けた一眼レフカメラに関する。
【０００２】
【従来の技術】
通常、一眼レフカメラを製作する場合には、フォーカルプレンシャッタやミラーボックスは予めユニットとして製作しておき、それらを順にカメラ本体に取り付けている。しかし、最近では、カメラ本体側の設計事情もあって、フォーカルプレンシャッタを直接カメラ本体に取り付けず、先ずミラーボックッスに取り付けておき、そのミラーボックスの一部をカメラ本体に固定する場合が多くなっている。そこで、従来における、ミラーボックスに対するフォーカルプレンシャッタの二つの取付け構成例を、図６及び図７を用いて説明する。尚、周知のように、フォーカルプレンシャッタは、被写体側（撮影レンズ側）から見た場合、大きな平面形状をしている。そのため、ミラーボックスに対しても複数箇所で取り付けられるが、図６，図７においては、それらのうちの１箇所だけが断面で示されている。
【０００３】
そこで、先ず、図６に示された従来例を説明する。この従来例は、ミラーボックス１にフォーカルプレンシャッタを取り付ける場合、フォーカルプレンシャッタのシャッタ地板２に形成されている孔にねじ３を通し、それをミラーボックス１にねじ込むことによって固定している。そして、このあと、ミラーボックス１の図示していない部位が、ねじ等によってカメラ本体へ固定される。また、図７に示された従来例は、ミラーボックス１に設けられたボス１ａに対して、フォーカルプレンシャッタのシャッタ地板２に形成された孔を嵌合させ、その状態で、ミラーボックス１の図示していない部位が、ねじ等によってカメラ本体４へ固定される。従って、この場合には、カメラ本体４へのミラーボックス１の固定状態において、フォーカルプレンシャッタは、ボス１ａの軸方向へ若干動き得るように組み付けられるが、実際には、その量が図７に示されているよりも極めて僅かであるため、撮影に影響を及ぼすようなことはない。
【０００４】
【発明が解決しようとする課題】
ところで、フォーカルプレンシャッタは、ユニットとして組み立てた段階で、厳重な品質検査が行われる。しかしながら、その後のカメラ本体への組付け作業などによっては、シャッタ性能に変化の生じる可能性があるため、ミラーボックスへ取り付けた段階か、その後にカメラ本体に取り付けた段階で、必ず性能検査を行っている。そして、前者の段階での検査は、シャッタをセットしたりレリーズしたりするのに、特別な道具を用いて行っても差し支えないが、最近では、カメラ側のシャッタセット機構やその一部がミラーボックスに設けられている場合も多くなってきたので、シャッタとの連動関係の検査も含めて特別な面倒を伴わずに行えるようになっている。このようなことから、フォーカルプレンシャッタをミラーボックスへ取付けてからカメラ本体へ取り付ける場合には、組付け作業が簡単且つ確実に行える構成であることは勿論のこと、その作業によってシャッタ性能が損なわれにくい構成であることが要求されるし、組付け後の検査で性能に不具合が発見された場合には、交換や調整などが容易に行える構成であることが要求される。
【０００５】
このような観点から、上記の二つの従来例を見てみると、必ずしも好適な構成とはいえない面がある。即ち、図６に示すような構成を採用した場合には、フォーカルプレンシャッタをミラーボックスに取り付けた後であって、カメラ本体に取り付ける前に、性能検査を行なえるという利点がある。ところが、最近ではカメラ部品の合成樹脂化が進んでおり、ミラーボックスやフォーカルプレンシャッタの地板も合成樹脂製のものが多くなってききている。そして、それらは比較的大きな平面を有する部材であるため、金属製であってもその平面性の確保が難しいが、合成樹脂製の場合には非常に難しくなっている。また、フォーカルプレンシャッタのシャッタ地板は、板部材であり且つ略中央部には比較的大きな開口部が形成されていて、ミラーボックスに取り付けるときは、通常、地板の上方位置と下方位置で取り付けるようにしている。しかも、シャッタ羽根は、通常、上下方向に走行する。そのため、図６に示すような構成を採用した場合には、ミラーボックスに取り付けたとき、シャッタ地板２の上下位置でのねじ３（複数）の締め付けによってシャッタ地板２はしなってしまい、所定のシャッタ性能が得られなくなってしまうことがあるという問題点がある。
【０００６】
他方、図７に示す構成を採用した場合は、シャッタ地板２の孔をボス１ａに嵌合させただけではシャッタ地板２がしならないので、その組付け作業によってはシャッタ性能は損なわれない。また、そのあとに、ミラーボックス１をカメラ本体４に固定しても、原則としてシャッタ地板２をしならせる力が作用しないので、特別な要因でもない限り、その作業によってはシャッタ性能は変わらない。しかし、シャッタ地板２の孔をボス１ａに嵌合させただけでは、フォーカルプレンシャッタの安定性が悪く、極端な場合は抜けてしまうこともあり得るため、そのような状態でミラーボックス１をカメラ本体４に取り付ける作業は、決して容易であるとは言えない。また、そのような状態での性能検査は、不可能とは言えないまでも極めて面倒になるという問題点がある。更に、そのようなことを避けるためには、図７の状態に組付けておいてから性能検査を行うことになるが、その場合には、不合格となったときのシャッタの交換，調整などが非常に面倒になるという問題点がある。
【０００７】
本発明は、このような問題点を解決するためになされたものであり、その目的とするところは、フォーカルプレンシャッタをミラーボックスに取り付けておいてからカメラ本体に固定するようにした一眼レフカメラであって、カメラ本体へ組み付けるに際しては、一連の組付け作業が簡単であると同時に通常の作業によってはシャッタ性能に影響を与えない構成をしており、且つ組付け後の検査で不具合が発見された場合には、シャッタの交換等が容易に行える構成をした一眼レフカメラを提供することである。
【０００８】
【課題を解決するための手段】
上記の目的を達成するために、本発明の一眼レフカメラは、少なくとも一方が複数の取付部を有する合成樹脂製であって両者の間に羽根室を構成した二つの地板を有しているフォーカルプレンシャッタと、前記フォーカルプレンシャッタを前記複数の取付部で取り付けておいてからカメラ本体に固定される合成樹脂製のミラーボックスとを備えており、前記取付部の少なくとも一つには孔が形成され、前記ミラーボックスには前記孔に嵌合させるボスが形成されていて、前記ボスは前記一方の地板の板厚よりも僅かに長く形成されており、前記一方の地板は、前記ボスの中心に先端側から螺合したねじによって前記ミラーボックスに取り付けられているようにする。また、上記の目的を達成するために、本発明の一眼レフカメラは、少なくとも一方が複数の取付部を有する合成樹脂製であって両者の間に羽根室を構成した二つの地板を有しているフォーカルプレンシャッタと、前記フォーカルプレンシャッタを前記複数の取付部で取り付けておいてからカメラ本体に固定される合成樹脂製のミラーボックスとを備えており、前記取付部の少なくとも一つにはボスが形成され、前記ミラーボックスの板状部には前記ボスに嵌合させる孔が形成されていて、前記ボスは前記板状部の板厚よりも僅かに長く形成されており、前記一方の地板は、前記ボスの中心に先端側から螺合したねじによって前記ミラーボックスに取り付けられているようにする。そして、前記フォーカルプレンシャッタは、露光作動の駆動源がばねであって、該ばねをチャージするセット手段を作動させるシャッタセット機構の少なくとも一部の部材が前記ミラーボックスに取り付けられていると好適であるが、前記フォーカルプレンシャッタの露光作動の駆動源がモータであって、前記ミラーボックスにはミラー駆動機構が設けられていてもよい。
【００１０】
【発明の実施の形態】
本発明の実施の形態を、二つの実施例によって説明する。尚、本発明は、フイルムを使用するスチルカメラにも電子スチルカメラにも適用することができるが、図１〜図４は、フイルムを使用するスチルカメラに適用した場合における第１実施例を示したものである。また、図５は第２実施例の要部のみを示した断面図であって、その他の構成は第１実施例の構成が援用される。そのため、二つの実施例において共通する部材，部位には同じ符号を付けてある。
【００１１】
先ず、図１〜図４を用いて、第１実施例を説明する。図１はフォーカルプレンシャッタをミラーボックスに取り付けた状態において、ミラーボックスの一部を断面で示した正面図であり、図２はフォーカルプレンシャッタを取り付けた後、ミラーボックスをカメラ本体に取り付けた状態を示したものであって、フォーカルプレンシャッタやカメラ本体を断面し、図１の左側から見た側面図である。また、図３はフォーカルプレンシャッタの主要な構成だけを示した正面図であり、図４はミラーボックスに対するフォーカルプレンシャッタの取付部の一つを拡大して示した断面図である。
【００１２】
最初に、図３を用い、本実施例に採用されているフォーカルプレンシャッタの主な構成を説明するが、その構成自体は周知のものと実質的に同じであるため、簡単に説明する。図３において、シャッタ地板２は合成樹脂製であって、その略中央部に長方形を横長にした開口部２ａを形成している。また、図２に示すように、シャッタ地板２の背面側には、所定の間隔を空けて、中間板５と補助地板６が順に取り付けられており、シャッタ地板２と中間板５との間に先羽根７の羽根室を形成し、中間板５と補助地板６との間に後羽根８の羽根室を形成している。そして、中間板５と補助地板６にも、開口部２ａと類似の開口部５ａ，６ａが形成されている。
【００１３】
また、図３において、開口部２ａの左側には、円弧状の二つの長孔２ｂ，２ｃが形成されており、それらの下方端部には、平面形状が略Ｃ字状をしたブチルゴム製の緩衝部材９，１０が取り付けられている。また、シャッタ地板２には、軸２ｄ，２ｅ，２ｆ，２ｇ，２ｈが設けられているが、軸２ｄ，２ｅはシャッタ地板２を貫通して表裏に立設され、軸２ｆは表面側（撮影レンズ側）にだけ立設され、軸２ｇ，２ｈが背面側（フィルム面側）にだけ立設されている。そして、シャッタ地板２には、後述するミラーボックス１へ取り付けるための三つの孔２ｉ，２ｊ，２ｋが形成されている。
【００１４】
また、シャッタ地板２の撮影レンズ側において、先羽根用駆動部材１１と後羽根用駆動部材１２とが、軸２ｄ，２ｅに回転可能に取り付けられている。そして、それらの駆動部材１１，１２は、露光作動時には図示していない先羽根用駆動ばね，後羽根用駆動ばねの付勢力によって時計方向へ回転させられ、セット時には、軸２ｆに回転可能に取り付けられたセット手段であるセット部材１３によって、それらの駆動ばねの付勢力をチャージさせながら反時計方向へ回転させられるようになっている。また、先羽根用駆動部材１１と後羽根用駆動部材１２は夫々駆動ピン１１ａ，１２ａを備えていて、それらを長孔２ｂ，２ｃに貫通させ、羽根室側に突き出させている。尚、セット部材１３は、被押動部１３ａを有していて、図示していないばねによって反時計方向へ回転するように付勢されている。
【００１５】
次に、羽根室内に配置されている先羽根７と後羽根８の構成について説明する。先ず、先羽根７は、二つのアーム７ａ，７ｂと、それらの長さ方向に順に枢支された４枚の羽根で構成されていて、アーム７ａは軸２ｄに回転可能に取り付けられ、アーム７ｂは軸２ｇに回転可能に取り付けられている。そして、アーム７ａに形成された孔には上記した先羽根用駆動部材１１の駆動ピン１１ａが嵌合している。他方、後羽根８は、二つのアーム８ａ，８ｂと、それらの長さ方向に順に枢支された４枚の羽根で構成されていて、アーム８ａは軸２ｅに回転可能に取り付けられ、アーム８ｂは軸２ｈに回転可能に取り付けられている。そして、アーム８ａに形成された孔には上記した後羽根用駆動部材１２の駆動ピン１２ａが嵌合している。
【００１６】
図３は、上記のような基本的な構成だけを示しているが、周知のように、実際には、このほかにも沢山の構成部材が備えられている。例えば、シャッタ地板２の撮影レンズ側において、軸２ｄ，２ｅ，２ｆの先端には、支持板とプリント配線板が重ねて取り付けられている。そして、その支持板にはシャッタ地板２側に先羽根用電磁石と後羽根用電磁石が取り付けられていて、それらに対する通電を順に断つことにより、先羽根用駆動部材１１と後羽根用駆動部材１２の露光作動が開始されるようにしている。図１においては、それらのうち、プリント配線板に符号１４を付け、その外形の一例を実線で示してある。
【００１７】
ここで、このような基本構成をしたフォーカルプレンシャッタの作動を簡単に説明しておく。図３は、シャッタのセット状態を示しており、セット部材１３は、後述する部材によって被押動部１３ａを押され、図示していない復帰ばねの付勢力に抗して、初期位置から時計方向へ回転させられ、先羽根用駆動部材１１と後羽根用駆動部材１２を、図示していない夫々の駆動ばねの付勢力に抗して、反時計方向へ回転させた状態にある。そして、このとき、先羽根７の４枚の羽根は展開されて開口部１ａを覆っており、後羽根８の４枚の羽根は重畳されて開口部１ａの上方位置に格納されている。
【００１８】
この状態でレリーズボタンが押されると、その初期段階で、先ず上記した図示していない二つの電磁石に通電され、二つの駆動部材１１，１２が磁気的に吸着保持される。その後、詳しくは後述する機構によって、ミラーが跳ね上げられると同時に、セット部材１３の被押動部１３ａに対する押圧力が解かれていく。それによって、セット部材１３が図示していない復帰ばねの付勢力によって初期位置へ復帰すると、図示していない二つの電磁石に対する通電が順に断たれ、二つの駆動部材１１，１２は、夫々の駆動ばねの付勢力によって、先羽根用駆動部材１１から順に露光作動を開始する。そして、各駆動部材１１，１２の駆動ピン１１ａ，１２ａが緩衝部材９，１０に順に当接し、露光作動が終了する。その後、後述する機構によって、ミラーがダウン状態にさせられ、セット部材１３が時計方向へ回転させられ、シャッタは図３の状態となる。
【００１９】
そこで、次に、上記のようなフォーカルプレンシャッタをカメラに取り付けたときの全体構成を図１及び図２を用いて説明する。ミラーボックス１は合成樹脂製であって、撮影光路を囲む四つの壁によってミラー収容室を形成しているが、図１においては、上・下の壁１ｂ，１ｃと左側の壁１ｄが示されているだけで、右側の壁は図示を省略されている。そして、壁１ｄは、外壁面に後述する種々の部材を取り付けることができるようにするため、下方へ延伸し大きな取付け面が得られるように形成されている。また、そのミラー収容室の被写体側には、図２に示すように撮影レンズのマウント部材１５が取り付けられているが、図１においては、その一部を二点鎖線で示してある。
【００２０】
ミラー収容室に配置されているミラー１６は、左側の壁１ｄに対して軸１６ａを回転可能に支承され、且つ、図示していない右側の壁に対しても同様の構成で支承されていて、図示していないばねによって、図２において時計方向へ回転するように付勢されている。また、ミラー１６には操作ピン１６ｂが設けられており、それを、壁１ｄに形成された窓１ｅからミラー収容室の外へ突き出している。更に、ミラーボックス１の上側の壁１ｂには、図示していない開口が形成されていて、ミラー１６で反射した被写体光をファインダ光学系へ導くようになっている。
【００２１】
壁１ｄの外側には、複数のビスによって取付台１７が取り付けられている。この取付板１７には、図示していない適宜な手段によってモータ１８が取り付けられているが、その出力軸に取り付けられた歯車１９は、壁１ｄと取付台１７との間に配置されている。また、壁１ｄには軸１ｆ，１ｇ，１ｈ，１ｉが立設されているが、それらのうちの軸１ｆ，１ｇ，１ｈには、夫々、歯車２０，２１，２２が回転可能に取り付けられていて、上記の歯車１１と共に歯車列を構成している。そして、歯車２１，２２は、互いに反対側となる面にカム盤２１ａ，２２ａを一体的に形成している。
【００２２】
また、軸１ｉには、ミラー作動部材２３とセット操作部材２４とが個々に回転可能に取り付けられていて、図示していない夫々のばねによって図２において時計方向へ回転するように付勢されているが、ミラー作動部材２３に掛けられたばねの付勢力は、上記したミラー１６に掛けられいるばねの付勢力よりも大きくなっている。そして、ミラー作動部材２３の一方の腕部はミラー１６の操作ピン１６ｂに接触し、他方の腕部はカム盤２２ａのカム面に接触しており、また、セット操作部材２４の一方の腕部は、シャッタ地板２に取り付けられているセット部材１３の被押動部１３ａに接触し、他方の腕部はカム盤２１ａのカム面に接触している。尚、上記したように、壁１ｄに配置されている各部材のうち、セット部材１３を作動させる一連の部材によってシャッタセット機構が構成されており、また、ミラー１６を作動させる一連の部材によってミラー駆動機構が構成されているので、モータ１８も含めて一部の部材は、両方の機構の兼用部材となっている。
【００２３】
このようにして、多くの部材を取り付けているミラーボックス１には、上記のフォーカルプレンシャッタが取り付けられているが、その取付けに際しては、シャッタ地板２に設けられた三つの孔２ｉ，２ｊ，２ｋにねじを挿入し、それらのねじをミラーボックス１にねじ込んでいる。図１及び図２においては、シャッタ地板２の孔２ｉ，２ｊに挿入してからミラーボックス１にねじ込んだ二つのねじ２５，２６だけが示されているが、それらの具体的な取付け構成は後述することにして、ここでは説明しない。このようにして、フォーカルプレンシャッタを取り付けたミラーボックス１は、その後、複数のねじによってカメラ本体４に取り付けられるが、図２においては、それらのうちの二つのねじ２７，２８が示されている。尚、符号２９を付けてあるのはフィルムである。
【００２４】
ここで、ミラーボックス１の壁１ｄに取り付けられている部材の作動を説明しておく。図１及び図２は非撮影状態を示しており、ミラー１６はダウンしている。このとき、フォーカルプレンシャッタは図３のセット状態になっている。撮影を行うに際してレリーズボタンが押され、上記の二つの駆動部材１１，１２が夫々の電磁石によって吸着保持されると、モータ１８は反時計方向へ回転し、歯車２１，２２を夫々の方向へ回転させる。そのため、ミラー作動部材２３とセット操作部材２４が、夫々のばねの付勢力によって、カム盤２２ａ，２１ａに追従して、図２において時計方向へ回転する。その結果、ミラー作動部材２３は、操作ピン１６ｂを押してミラー１６をアップ状態にさせ、セット操作部材２４は、セット部材１３の被押動部１３ａから退いていくので、上記したようにセット部材１３は初期位置へ復帰し、その直後にモータ１８が停止する。
【００２５】
その後、既に説明したようにして、フォーカルプレンシャッタによる露光作動が終了すると、再度、モータ１８が回転させられ、その回転によって、ミラー作動部材２３とセット操作部材２４は、カム盤２２ａ，２１ａに押されて、図２において反時計方向へ回転させられる。そのため、ミラー１６は、その操作ピン１６ｂがミラー作動部材２３に追従してダウン作動を行い、セット部材１３は、その被押動部１３ａをセット操作部材２４に押されて時計方向へ回転させられる。そして、ミラー１６がダウン状態になり、上記のフォーカルプレンシャッタがセット状態になると、モータ１８の回転が停止し、図１及び図２の状態になる。
【００２６】
次に、図４を用い、ミラーボックス１に対するフォーカルプレンシャッタの具体的な取付け構成を説明する。上記したように、本実施例におけるフォーカルプレンシャッタは、３箇所でミラーボックス１に取り付けられているが、それらの取付け構成は全て同じである。そのため、図４は、それらを代表して、シャッタ地板２の孔２ｉにおける取付け構成だけを拡大して示したものてある。図４において、ねじ２５は、頭部２５ａとねじ部２５ｂとの間に、頭部２５ａの直径よりも小さく、ねじ部２５ｂのねじ径よりも大きな直径の円筒部２５ｃを有している。そして、円筒部２５ｃの軸方向の長さは、シャッタ地板２の厚さよりも極めて僅かだけ長く形成されている。
【００２７】
ところで、本実施例は、このような取付け構成をしているため、ねじ２５をミラーボックス１にねじ込んだ状態では、孔２ｉと円筒部２５ｃが嵌合しているので、この取付部だけでみた場合には、微少とはいえ、シャッタ地板２は動き得るだけの余裕をもって取り付けられていることになる。しかしながら、既に説明してあるように、ミラーボックス１とシャッタ地板２は合成樹脂であるから、両者の接触面の平面度は優れたものとは言えない。そのため、図４に示された取付け状態のように、シャッタ地板２がミラーボックス１には接触しているが、ねじ２５の頭部２５ａには完全に接触していなくても、ねじ２６による取付部においては、ねじ２６の頭部にシャッタ地板２が接触していることがあるので、シャッタ地板２がミラーボックス１に対してガタついてしまうことは殆どない。また、仮にガタつくような関係に組み付けられたとしても、そのガタつきは微小なので、シャッタの性能上からは何の問題ともならない。
【００２８】
このように、本実施例の場合には、フォーカルプレンシャッタをミラーボックス１に取り付けるに際し、シャッタ地板２を無理にしならせてしまうようなことがない。また、図２においては明りょうに示されていないが、実際には、フォーカルプレンシャッタの補助地板６とカメラ本体４の間に、若干の間隙が設けられている。そのため、その後、ミラーボックス１をカメラ本体４に取り付けるに際しても、フォーカルプレンシャッタには無理な力が加わらないので、上記のようにミラーボックス１に取り付けた段階で、フォーカルプレンシャッタの性能検査や、セット部材１３とミラーボックス１側のシャッタセット機構との連動関係の検査をすることが可能になる。また、その結果、性能に不具合が発見されたときには、その状態で調整することができる場合もあるし、それが不可能であれば、簡単にミラーボックス１から取り外すことが可能である。
【００２９】
次に、図５を用いて、第２実施例を説明する。本実施例は、第１実施例におけるミラーボックス１とシャッタ地板２との３箇所の取付け構成が異なるだけであり、そのほかの構成は、全て第１実施例の構成が援用される。そして、図５は、上記した図４と同じ取付部の構成を図４と同じようにして示したものである。そこで、本実施例の取付け構成は、シャッタ地板２の孔２ｉに、ミラーボックス１と一体成形によって形成されたボス１ｊを嵌合させ、そのボス１ｊの中心に先端側からねじ３０を挿入している。その場合、ボス１ｊは、シャッタ地板２の厚さよりも僅かに長く形成されており、ねじ３０は、頭部３０ａとねじ部３０ｂからなっていて、第１実施例のねじ２５に設けられていたような円筒部は設けられていない。
【００３０】
また、本実施例の場合には、ねじ３０のねじ部３０ｂを挿入するために、ボス１ｊに予め孔を形成しておく必要があるが、その内部には、めねじを形成してあっても形成してなくても差し支えない。しかし、めねじを形成した場合には、ねじ部３０ｂの長さを短くすることが可能であって、場合によっては、先端部がボス１ｊ内にあるように構成することも可能である。このように構成された本実施例の場合にも、図５においては、ねじ３０の頭部３０ａに、シャッタ地板２が接していない。そして、このような組み付け状態であっても、特に問題はなく、むしろ好適な組付け状態が得られていることは、第１実施例の場合と全く同じである。従って、そのことについての詳しい説明は省略する。
【００３１】
尚、上記の第１実施例においては、シャッタ地板２に孔２ｉが形成されていて、ねじ２５をシャッタ地板２側から挿入し、ミラーボックス１にねじ止めしているが、ミラーボックス１側の取付部が、図２に示したような板状部である場合には、ミラーボックス１に孔を形成し、ねじ２５をミラーボックス１側から挿入して、シャッタ地板２にねじ止めするようにしてもよい。また、同様に、上記の第２実施例においては、シャッタ地板２に孔２ｉを形成し、ねじ３０を、ミラーボックス１に設けられたボス１ｊの孔に挿入しているが、反対に、ミラーボックス１側に形成した孔にシャッタ地板２側に設けたボスを挿入し、ねじ３０をミラーボックス１側からボスの孔に挿入するようにしても差し支えない。
【００３２】
また、上記の各実施例においては、ミラーボックス１とシャッタ地板２との取付部が３箇所設けられているが、２箇所の場合であっても、４箇所の場合であっても同じである。そして、上記の各実施例においては、それらの取付け構成が、全て同じ場合で説明したが、それらのうちの少なくとも１箇所が上記したように構成されていれば、本発明の課題を解決することが可能である。また、上記の各実施例においては、シャッタ地板２をミラーボックス１に取り付けているが、シャッタ構成次第では、補助地板６をミラーボックス１に取け付けても差し支えない。
【００３３】
更に、上記の各実施例の場合には、シャッタセット機構とミラー駆動機構が全てミラーボックス１に設けられていて、モータ１８が駆動源として兼用されているが、それらの機構は別々のモータに駆動されるようにしてもよい。また、それらの機構を一つの兼用モータ１８で駆動する場合であっても、二つのモータで駆動する場合であっても、少なくともシャッタセット機構の駆動源となるモータを、カメラ本体４側に設けるようにしても差し支えない。しかし、その場合には、検査をするときに、モータを備えた検査冶具を用意しなければならなくなるが、それであっても、シャッタをミラーボックスに取り付けた段階で検査ができることには変わりがない。更に、少なくなくともシャッタセット機構の駆動源となるモータをシャッタユニット側に設けても差し支えない。その場合であっても、少なくともシャッタ性能の検査を行なうことは可能である。
【００３４】
また、上記の各実施例においては、シャッタの露光作動用の駆動源が、図示していない周知の駆動ばねであって、それぞれをセット部材１３がチャージする場合で説明したが、本発明は、シャッタユニットに取り付けられたモータを駆動源として露光作動が行われるたフォーカルプレンシャッタの場合にも、適用することが可能である。即ち、そのようにするときは、上記の各実施例のようにシャッタ羽根を二つ備えている場合にはモータが二つ必要であり、シャッタ羽根が一つの場合には一つでよいが、いずれの場合であっても、少なくともシャッタ性能の検査を行なうことが可能である。
【００３５】
【発明の効果】
以上のように、本発明は、フォーカルプレンシャッタを複数の取付部で取り付けておいてからカメラ本体に固定されるミラーボックスに、フォーカルプレンシャッタが、少なくとも一つの取付部において、ミラーボックスから離れる方向へ微少な移動余裕を持たせて、ねじによって止められているようにしたから、取付けに際して、フォーカルプレンシャッタの地板をしならせてしまう力を無視することができ、シャッタ性能が損なわれるのを防止することが可能になる。また、ミラーボックスへ取り付けた後の性能検査でシャッタ性能に不具合が発見された場合でも、取付け構成が簡単であるため、シャッタの交換や調整などが容易に行えるという特徴を有している。
【図面の簡単な説明】
【図１】フォーカルプレンシャッタをミラーボックスに取り付けた状態において、ミラーボックスの一部を断面で示した第１実施例の正面図である。
【図２】フォーカルプレンシャッタを取り付けた後、ミラーボックスをカメラ本体に取り付けた状態であって、フォーカルプレンシャッタやカメラ本体を断面し、図１の左側から見た側面図である。
【図３】第１実施例におけるフォーカルプレンシャッタの主要な構成だけを示した正面図である。
【図４】ミラーボックスに対するフォーカルプレンシャッタの取付部の一つを拡大して示した第１実施例の断面図である。
【図５】ミラーボックスに対するフォーカルプレンシャッタの取付部の一つを拡大して示した第２実施例の断面図である。
【図６】ミラーボックスに対するフォーカルプレンシャッタの取付部の一つを拡大して示した従来例の断面図である。
【図７】ミラーボックスに対するフォーカルプレンシャッタの取付部の一つを拡大して示した他の従来例の断面図である。
【符号の説明】
１                      ミラーボックス
１ａ，１ｊ              ボス
１ｂ，１ｃ，１ｄ        壁
１ｅ                    窓
１ｆ，１ｇ，１ｈ，１ｉ，２ｄ，２ｅ，２ｆ，２ｇ，２ｈ，１６ａ  軸
２                      シャッタ地板
２ａ，５ａ，６ａ        開口部
２ｂ，２ｃ              長孔
２ｉ，２ｊ，２ｋ        孔
３，２５，２６，２７，２８，３０  ねじ
４                      カメラ本体
５                      中間板
６                      補助地板
７                      先羽根
７ａ，７ｂ，８ａ，８ｂ  アーム
８                      後羽根
９，１０                緩衝部材
１１                    先羽根用駆動部材
１１ａ，１２ａ          駆動ピン
１２                    後羽根用駆動部材
１３                    セット部材
１３ａ                  被押動部
１４                    プリント配線板
１５                    マウント部材
１６                    ミラー
１６ｂ                  操作ピン
１７                    取付台
１８                    モータ
１９，２０，２１，２２  歯車
２１ａ，２２ａ          カム盤
２３                    ミラー作動部材
２４                    セット操作部材
２５ａ，３０ａ          頭部
２５ｂ，３０ｂ          ねじ部
２５ｃ                  円筒部
２９                    フィルム
【図１】
0003995472.tif 000002
【図２】
0003995472.tif 000003
【図３】
0003995472.tif 000004
【図４】
0003995472.tif 000005
【図５】
0003995472.tif 000006
【図６】
0003995472.tif 000007
【図７】
0003995472.tif 000008